(57)【要約】本発明のフィットネス兼発電ローイングマシン（１００）は、本体台（１０）、スライド可能に本体台（１０）に設けられるシート（２０）、本体台（１０）に設けられる支持バー（３０）、支持バー（３０）に設けられる把持バー（３３）、制動装置（４０）および発電装置（５０）を含む。前記制動装置（４０）は、支持バー（３０）に可動に設けられ、牽引ベルト（３５）を介して把持バー（３３）と連なるプーリー（４１）、および本体台（１０）に設けられ、弾性ベルト（４５）を介してプーリー（４１）と連なる滑車群（４３）を含む。前記発電装置（５０）は、入力軸（５１１）を備えるとともに本体台（１０）と支持バー（３０）の間に設けられる発電機（５１）、プーリー（４１）と発電機（５１）の入力軸（５１１）を連接する伝動ベルト（５３）、および発電機（５１）に電気接続され、発電機（５１）により発生した電気エネルギーを蓄積するバッテリー（７０）を含む。上記フィットネス兼発電ローイングマシン（１００）は、簡易な構成であるとともに操作が簡単で、発電過程も安全かつ環境にやさしい。また、使用者の身体を鍛えるだけでなく、トレーニング時に発生するエネルギーを蓄積して以後必要な場合に使用可能とするため、ある程度の省エネ、環境保護の役割を果たす。【選択図】図１
2014505547.tif 000002
【特許請求の範囲】
【請求項１】
フィットネス兼発電ローイングマシンであって、
本体台；
スライド可能に前記本体台に設けられるシート；
前記本体台に設けられる支持バー；
前記支持バーに設けられる把持バー；
前記支持バーに可動に設けられ、牽引ベルトを介して前記把持バーと連なるプーリーと；前記本体台に設けられ、弾性ベルトを介して前記プーリーと連なる滑車群とを含む制動装置；
前記本体台と前記支持バーの間に設けられ、入力軸を備える発電機と；前記プーリーと前記発電機の入力軸を連接する伝動ベルトとを含む発電装置；および
前記発電機に電気接続され、前記発電機により発生した電気エネルギーを蓄積するバッテリーを含むことを特徴とするフィットネス兼発電ローイングマシン。
【請求項２】
前記本体台に２つのペダルが設けられることを特徴とする請求項１に記載のフィットネス兼発電ローイングマシン。
【請求項３】
各ペダルに使用者の足を固定するストラップが設けられることを特徴とする請求項２に記載のフィットネス兼発電ローイングマシン。
【請求項４】
さらに、前記本体台と前記支持バーを接続する接続支柱を含み、前記発電機は当該接続支柱に設けられることを特徴とする請求項１に記載のフィットネス兼発電ローイングマシン。
【請求項５】
さらにテンション装置を含み、当該テンション装置は、揺動バーと、当該揺動バーの一端に枢結するテンションローラと、当該揺動バーの他端に作用する弾性部材とを含み、前記揺動バーの中央部は回動可能に前記接続支柱に設置され、前記テンションローラは前記伝動ベルトを押圧することを特徴とする請求項４に記載のフィットネス兼発電ローイングマシン。
【請求項６】
さらに、前記支持バーの頭部に設けられて前記プーリーの回転速度を検知する検知装置を含むことを特徴とする請求項１に記載のフィットネス兼発電ローイングマシン。
【請求項７】
前記発電機はレアアース永久磁石型コアレス発電機であることを特徴とする請求項１に記載のフィットネス兼発電ローイングマシン。
【請求項８】
さらに、前記バッテリーに電気接続されて前記バッテリーの出力電流を調節するインバータを含むことを特徴とする請求項１に記載のフィットネス兼発電ローイングマシン。
【発明の詳細な説明】
【技術分野】
【０００１】
本発明はフィットネス機器に関し、特に、フィットネスと発電双方の機能を兼ね備えたフィットネス兼発電ローイングマシンに関する。
【背景技術】
【０００２】
ボートレースは水上競技であって、漕ぎ手が筋力を使ってオールとオール受けを梃子にして水を掻くことで、ボートを漕ぎ手に対し後ろ向きに前進させるローイング（rowing）運動を行う。ボート運動は、人体にとって心臓・血管および呼吸器系機能の向上、全身の筋力増強、神経系のバランス調節に効果的であり、人体の健康増進に資する。
【０００３】
このようなボート漕ぎにおける自然な動作を模倣したものをフィットネスクラブや家庭での運動に応用し、手・足・腰等の筋肉組織を鍛えれば、筋肉群の効果的なトレーニングとストレッチが可能となる。特に、腰と背に対するトレーニング効果は際立っており、背部の凝り症状を緩和可能であるとともに、腰痛筋肉群の生理的柔軟性を大幅に高めることができる。フィットネスローイングマシンは、日頃運動不足である人々に適しており、特に、長時間パソコンの前に座って仕事をするホワイトカラー層向きである。
【０００４】
現在販売されているフィットネスローイングマシンは、大多数がエアシリンダまたは磁性部材を用いて運動抵抗を供しているが、使用者が運動時に発生する生物エネルギーについては合理的に利用されていない。
【発明の概要】
【課題を解決するための手段】
【０００５】
以上より、フィットネスと発電を結びつけることで、生物エネルギーを十分に活用可能なフィットネス兼発電ローイングマシンの提供が求められている。
【０００６】
フィットネス兼発電ローイングマシンであって、本体台；スライド可能に前記本体台に設けられるシート；前記本体台に設けられる支持バー；前記支持バーに設けられる把持バー；前記支持バーに可動に設けられ、牽引ベルトを介して前記把持バーと連なるプーリーと；前記本体台に設けられ、弾性ベルトを介して前記プーリーと連なる滑車群とを含む制動装置；前記本体台と前記支持バーの間に設けられ、入力軸を備える発電機と；前記プーリーと前記発電機の入力軸を連接する伝動ベルトとを含む発電装置；および前記発電機に電気接続され、前記発電機により発生した電気エネルギーを蓄積するバッテリーを含む。
【０００７】
望ましい実施例としては、前記本体台に２つのペダルが設けられる。
【０００８】
望ましい実施例としては、各ペダルに使用者の足を固定するストラップが設けられる。
【０００９】
望ましい実施例としては、さらに、前記本体台と前記支持バーを接続する接続支柱を含み、前記発電機は当該接続支柱に設けられる。
【００１０】
望ましい実施例としては、さらにテンション装置を含み、当該テンション装置は、揺動バーと、当該揺動バーの一端に枢結するテンションローラと、当該揺動バーの他端に作用する弾性部材とを含み、前記揺動バーの中央部は回動可能に前記接続支柱に設けられ、前記テンションローラは前記伝動ベルトを押圧する。
【００１１】
望ましい実施例としては、さらに、前記支持バーの頭部に設けられて前記プーリーの回転速度を検知する検知装置を含む。
【００１２】
望ましい実施例としては、前記発電機はレアアース永久磁石型コアレス発電機である。
【００１３】
望ましい実施例としては、さらに、前記バッテリーに電気接続されて前記バッテリーの出力電流を調節するインバータを含む。
【００１４】
上記フィットネス兼発電ローイングマシンは、簡易な構成であるとともに操作が簡単で、発電過程も安全かつ環境にやさしい。また、使用者の身体を鍛えるだけでなく、トレーニング時に発生するエネルギーを蓄積して以後必要な場合に使用可能とするため、ある程度の省エネ、環境保護の役割を果たす。
【図面の簡単な説明】
【００１５】
【図１】図１は、１の実施例にかかるフィットネス兼発電ローイングマシンの組立立体図である。
【図２】図２は、図１に示すフィットネス兼発電ローイングマシンの分解立体図である。
【発明を実施するための形態】
【００１６】
図面に示す本発明の望ましい実施例を更に具体的に説明することで、本発明における上記およびその他の目的、特徴および利点をさらに明確にする。すべての図において、同じ符号は同じ部分を示す。なお、図面では敢えて実際の寸法等の比率に基づく拡大・縮小はしておらず、本発明の主旨を示すことを主眼とした。
【００１７】
本発明における上記の目的、特徴および利点をより明瞭とするために、以下に図面を参照して本発明の具体的な実施形態について詳細に説明する。以下では、本発明に対する十分な理解を促すべく、多数の具体的内容について述べる。ただし、本発明はここでの記述以外にも他の多数の形態で実施可能であり、当業者は、本発明の内容から逸脱しないことを前提に、類似の形態を実施可能である。したがって、本発明は以下に開示する具体的な実施形態による制限を受けない。
【００１８】
図１と図２を参照して、１の実施例にかかるフィットネス兼発電ローイングマシン１００は、本体台１０、シート２０、支持バー３０、制動装置４０、発電装置５０およびバッテリー７０を含む。
【００１９】
本体台１０は横断面が略「工」字形状の平坦な部材であって、先端が横方向に延伸して支持脚１１を形成し、後端には支持部１３が設けられ、これらで本体台１０全体を支持している。シート２０はスライド可能に本体台１０に設けられる。本体台１０には、さらに２つのペダル１５が設けられ、各ペダル１５には使用者の足を固定するためのストラップ１５１が設けられている。
【００２０】
支持バー３０は本体台１０の中央部付近に直立して設けられる。支持バー３０は中空のバーで、頭部に検知装置３１が設けられている。支持バー３０は検知装置３１の下方に位置し、さらに、把持バー３３と、把持バー３３に連なる牽引ベルト３５とを備えている。牽引ベルト３５は支持バー３０を貫通して制動装置４０に連なっている。
【００２１】
制動装置４０は、回動可能に支持バー３０の下端に設置されるプーリー４１、本体台１０に設けられる滑車群４３、およびプーリー４１と滑車群４３を連接する弾性ベルト４５を含む。牽引ベルト３５の一端はプーリー４１に巻き付けられている。本実施例では、滑車群４３は４つの滑車を含む。プーリー４１に回転時における抵抗力と復元力を供するために、弾性ベルト４５の一端はプーリー４１に固定され、他端は上記４つの滑車に巻き付けられている。
【００２２】
支持バー３０と本体台１０の間には、傾斜した接続支柱３７がさらに設けられている。発電装置５０は、接続支柱３７に設けられた発電機５１と伝動ベルト５３を含む。
【００２３】
発電機５１は、入力軸５１１を含むレアアース永久磁石型コアレス発電機であることが望ましい。伝動ベルト５３は略環状であり、一端が入力軸５１１に覆設され、他端がプーリー４１に覆設されることにより、プーリー４１の回転が発電機５１の入力軸５１１を回転させて電気エネルギーを発生させることが可能となる。
【００２４】
発電機５１は、プーリー４１の回転速度に応じて異なる電圧の電流を発生させる。当該電流によってバッテリー７０は充電される。本実施例において、フィットネス兼発電ローイングマシン１００は、バッテリー７０に接続されるインバータ８０をさらに含む。バッテリー７０に蓄積された電気エネルギーはインバータ８０で調節され、標準的な２２０Ｖ、５０Ｈｚの交流に変換されることで、室内照明や家電製品に使用可能となる。
【００２５】
伝動ベルト５３が長期間の使用によって弛緩し、能力不足となることを防ぐために、フィットネス兼発電ローイングマシン１００はテンション装置６０をさらに含む。テンション装置６０は、揺動バー６１、テンションローラ６３および弾力部材６５を含む。揺動バー６１は略長尺形状であり、中央部には接続支柱３７に回動可能に設置される回動軸６１１が延伸形成されている。テンションローラ６３は揺動バー６１１の一端に枢結する。弾性部材６５の一端は本体台１０に固定され、他端は揺動バー６１におけるテンションローラ６３から離れた側の一端に固定される。弾性部材６５が、これと接続される揺動バー６１の一端に作用すると、揺動バー６１は回動軸６１１周りにわずかに回動し、テンションローラ６３を伝動ベルト５３に当接させて、伝動ベルト５３をより緊密に発電機５１の入力軸５１１に巻き付ける。
【００２６】
使用時において、トレーニング者はシート２０に座り、両足をペダル１５に乗せて身体を前へ傾斜させると、両手で各把持バー３３を強く握る。そして、制動装置４０の抵抗力に抗して後ろに把持バー３３を引くとともに、足部にも力を入れて全身とシート２０を本体台１０の後部に向かって移動させる。これにより、腹部、手部および足部の筋肉を同時にトレーニングすることができる。また、検知装置３１はプーリー４１の回転速度を検知し、これをトレーニング者の運動データ（例えば消費カロリー、発生する電気エネルギー等）に変換して検知装置３１のスクリーン（図示しない）に表示することができる。
【００２７】
上記フィットネス兼発電ローイングマシン１００は、簡易な構成であるとともに操作が簡単で、発電過程も安全かつ環境にやさしい。また、使用者の身体を鍛えるだけでなく、トレーニング時に発生するエネルギーを蓄積して以後必要な場合に使用可能とするため、ある程度の省エネ、環境保護の役割を果たす。
【００２８】
なお、ペダル１５、接続支柱３７、テンション装置６０、検知装置３１は省略可能と解釈してもよい。
【００２９】
以上の実施例は本発明におけるいくつかの実施形態を示したにすぎず、具体的かつ詳細に記載はしたが、これにより本発明の範囲が限定されると解釈すべきではない。なお、当業者は本発明の思想から逸脱しないことを前提に若干の変形および改善をしてもよく、これらはすべて本発明の保護の範囲に包括される。すなわち、本発明の保護の範囲は添付の特許請求の範囲に準じる。
【図１】
2014505547.tif 000003
【図２】
2014505547.tif 000004
【国際調査報告】
2014505547.tif 000005
2014505547.tif 000006
2014505547.tif 000007
2014505547.tif 000008
2014505547.tif 000009
2014505547.tif 000010
2014505547.tif 000011
2014505547.tif 000012